(57)【特許請求の範囲】
【請求項１】
シンクを備えたキッチンのフロアユニットであって、
前記シンクの前方は、前面開口とした開口部を有した収容空間が形成され、前記開口部に開閉自在な前板を備えており、
前記収容空間内にタオル掛けバーが設けられ、
前記前板の一方側の側部表面から前記前板の内面側へと通じるように形成され前記収容空間内外に通じる吸気孔と、前記前板の他方側の側部表面から前記前板の内面側へと通じるように形成され前記収容空間内外に通じる排気孔とを備え、
前記収容空間内に配設されるタオル乾燥装置が、前記吸気孔と前記排気孔との間に位置していることを特徴としたフロアユニット。
【請求項２】
請求項１において、
前記タオル掛けバーは、前記前板の内面側に固着されていることを特徴とするフロアユニット。
【請求項３】
請求項１において、
前記シンクと前記収容空間とは、仕切板によって仕切られており、
前記タオル掛けバーは、前記仕切板の前記収容空間側に固着されていることを特徴とするフロアユニット。
【発明の詳細な説明】
【技術分野】
【０００１】
本発明は、キッチンのフロアユニットに関し、詳しくは、シンク前の狭小スペースを有効利用したキッチンのフロアユニットに関する。
【背景技術】
【０００２】
従来より、広く普及しているシンクを備えたキッチンのフロアユニットとしては、シンクの前方は狭小スペースであるため、幕板を設けてデッドスペースとし、前面に観音開き仕様の扉を構成し、シンク下を収納スペースとして用いたものが知られている（下記特許文献１・図８参照）。
しかしながら、限られたスペースを有効に活用したものとして、上記構成の他にシンク前の狭小スペースを有効に利用したものが提案されている。
【０００３】
例えば下記特許文献１には、シンク前方に設けられた扉（上扉）の下縁を回動軸にして開閉自在とし、該扉の開閉に連動して包丁など物が収納できる収納ボックスが出没するものが記載されている。
また下記特許文献２には、シンク前方に収納用凹部を設け、まな板やたわしなどの厨房器具を収納するための収納ボックス（収納体）を回動自在に取り付け、収納ボックスの下部には、シンクの排水管に連通する水切孔が設けられたものが記載されている。
更に下記特許文献３には、シンク前方に設けた収納用ハウジングの前方開口を開閉する蓋体を、収納用ハウジングの下端に前後方向に回動自在に枢支し、収納物を収納するための収納容器を蓋体と収納用ハウジングとの間に前後方向に回動自在にして内装したものが記載されている。
これらによれば、シンク前方の狭小空間を収納スペースとして有効利用できるとともに、収容された物の出し入れが直立したままで行えるため、腰を屈める必要がなく、使い勝手のよいものとすることができる。
【特許文献１】実用登録第３０７０７４７号公報
【特許文献２】実開昭６０−６４３８号公報
【特許文献３】特開２００６−３３４２４９号公報
【発明の開示】
【発明が解決しようとする課題】
【０００４】
ところで、近年は上述のようにフロアユニットの収納率の向上を図ったものの他、ユーザーの多様なニーズに応じ高機能化されたフロアユニットが求められている。
従来よりキッチンにおいて、調理の際に使用する布巾或いは、調理台やダイニングテーブルを拭くための台布巾などは、使用後、洗った後に別途設けられたタオル掛けバーに掛けたり、扉の取っ手やシンクの縁に掛けたりすることがなされている。
しかしながら、上述の場合は、タオル掛けに掛けられた布巾などが目立って生活感がでてしまい外観を損ねるという問題があった。また、濡れた布巾などは次に使うときまでに乾ききらないことがあり、衛生的にも問題があった。
【０００５】
本発明は、前記問題を解決するために提案されたもので、その目的は、狭小スペースの有効利用を図ったフロアユニットを提供することにある。
【課題を解決するための手段】
【０００６】
前記目的を達成するために、本発明に係るフロアユニットは、シンクを備えたキッチンのフロアユニットであって、前記シンクの前方は、前面開口とした開口部を有した収容空間が形成され、前記開口部に開閉自在な前板を備えており、前記収容空間内にタオル掛けバーが設けられ、前記前板の一方側の側部表面から前記前板の内面側へと通じるように形成され前記収容空間内外に通じる吸気孔と、前記前板の他方側の側部表面から前記前板の内面側へと通じるように形成され前記収容空間内外に通じる排気孔とを備え、前記収容空間内に配設されるタオル乾燥装置が、前記吸気孔と前記排気孔との間に位置していることを特徴とする。
【０００７】
本発明において、タオル掛けバーは、前記前板の内面側に固着されているものとすることができる。またシンクと前記収容空間とが、仕切板によって仕切られている場合、タオル掛けバーは、前記仕切板の前記収容空間側に固着されているものとすることができる。
【発明の効果】
【０００８】
本発明の請求項１に係るフロアユニットによれば、前記シンクの前方は、前面開口とした開口部を有した収容空間が形成され、前記開口部に開閉自在な前板を備えており、前記収容空間内にタオル掛けバーが設けられているので、シンク前の狭小スペースを布巾や台布巾などを掛けておくタオル掛けスペースとして有効利用することができる。よって生活感のないすっきりとしたフロアユニットを構成することができる。
本発明の請求項１に係るフロアユニットによれば、前板は、収容空間内外に通じる吸気孔及び排気孔を更に備えているので、収容空間内に空気を流通させることができる。よって、濡れたタオルなどをタオル掛けバーに掛けても、収容空間内に湿気が充満することがない。
また収容空間内にタオル乾燥装置が設けられた場合にも、吸気孔及び排気孔によって、空気が流通するので、良好にタオル掛けバーに掛けられたタオルなどを乾燥させることができる。
【０００９】
本発明の請求項２に係るフロアユニットによれば、タオル掛けバーは、前記前板の内面側に固着されているので、タオル掛けバーを備えた前板のみを後付けでオプションとして取付けることができる。よってユーザーのニーズに応じたフロアユニットを構成することができる。また前板を開いた状態にするとタオル掛けバーが手元側にくるので、タオルなどを干しやすく、また取り出しやすいものとすることができる。
【００１０】
本発明の請求項３に係るフロアユニットによれば、タオル掛けバーは、仕切板の収容空間側に固着されているので、前板による開け閉めが行われても、タオル掛けバーに掛けられたタオルなどが移動することがなく、タオル掛けバーに安定して掛けておきやすいものとすることができる。
【００１１】
本発明の請求項４に係るフロアユニットによれば、収容空間内にタオル乾燥装置が配設されているので、タオル掛けバーに掛けたタオルなどの乾燥を促進させることができ、収容空間に収容させている間に乾燥させることができる。よって収容空間のタオル掛けバーに掛けておいたタオルなどは、次に使うときには乾いた状態にすることができ、衛生的で高機能なフロアユニットを構成することができる。
【発明を実施するための最良の形態】
【００１３】
以下に、本発明の実施の形態について、図面を参照しながら説明する。
図１は本発明に係るフロアユニットの第１の実施形態を示す要部の概略斜視図、図２（ａ）は同フロアユニットの要部の正面図、図２（ｂ）は同フロアユニットの要部平面断面図、図３は同フロアユニットの要部の縦断面図、図４は本発明に係るフロアユニットの第１の実施形態を示す要部の縦断面図である。
【００１４】
まず図１乃至図３を参照しながら、本発明の第１の実施形態について説明する。
図例のフロアユニット１は、キッチンの床面に設置され、水栓９を備えたシンク２やコンロなどの加熱機器（不図示）などを備えたカウンター部１１と、引出式或いは扉式とした収納部１２ａ、ビルトイン式グリル（不図示）、食器洗い乾燥機（不図示）などを備えたキャビネット部１２とを備えている。カウンター部１１のカウンター本体１１ａは、人造大理石或いはステンレスなどからなり、調理台などとして使用され、シンク２は、エポキシ系樹脂などからなる人造大理石或いはステンレスなどからなり、野菜や食器、布巾などを洗ったりする場所として使用される。
【００１５】
シンク２は、シンク収容部２１に配設され、シンク２のシンク前面部２ａ（図３参照）がカウンター本体１１ａの前面よりも後退した位置となるよう配設される。シンク２の前方には、前面開口とした開口部４ａを有した収容空間４が形成され、シンク収容部２１と収容空間４との間は、仕切板７によって仕切られている。仕切板７は、キャビネット部１２の収納空間を仕切る水平板１２ｂとカウンター本体１１ａとの間に設けられる。
【００１６】
仕切板７の下方は後記するタオル乾燥装置６の電源コード８が配設される底面部７１が設けられており、底面部７１には電源コード８をフロアユニット１外に設けられた電圧を供給できるコンセント（不図示）へと導く配線孔７１ａ、７２ａが適所に設けられる。図例のものは底面部７１と、底面部７１に設けられた脚部７２の夫々に配線孔７１ａ、７２ａが計２箇所設けられたものを示している。また底面部７１の前板３設置側端部には、枢支部７３が構成されており、該枢支部７３は、中実或いは中空の円筒からなる軸部７３ａと軸受部７３ｂとで構成されている。軸受部７３ｂは底面部７１の前端が延伸されて一体に形成されており、軸部７３ａを包持して前板３が回動自在となるよう断面Ｃ字形状となっている。図３の３２は、固定具であり、前板３を閉塞状態に維持固定するための固定部材である。固定具３２の前面には、プレート状の磁石（不図示）が貼着されており、前板３の内面側上端に対応して貼着されたプレート状の磁石（不図示）と磁力で引き合って固定される。
閉塞状態における前板３の固定保持方法は、上述の例に限定されず、閉塞用の凸状部材と凹状部材とを設け、互いを嵌合させて固定保持するものとしてもよい。
【００１７】
収容空間４の開口部４ａには、枢支部７３によって開閉自在に構成される前板３が設けられており、開口部４ａを塞ぐ蓋体として機能する。前板３の上端は、取っ手となる把持部３ｃが設けられており、前板３を前後方向に開閉しやすよう構成されている。前板３の下端は、軸部７３ａの長手方向両端部を軸支する軸支部（不図示）が形成されている。前板３は、枢支部７３を軸として回動し、前板３の後端部３ｅが脚部７２に当接する（図３参照）。これにより、前板３が９０度前方向に全開とならずに斜めに傾斜した状態で固定保持され、前面開口とした開口部４ａの上方がポケット式に開口されたものに構成される。
【００１８】
前板３の内面３ｄ側には、タオル掛けバー５が固着されており、食器やダイニングテーブルを拭いたり、手拭いとして用いられる布巾などのタオル類Ｔが掛けられるようになっている。
また収容空間４内には、タオル乾燥装置６が配設されている。図例のものは前板３の内面３ｄ側に固着された例を示している。
タオル乾燥装置６は、ヒータ或いは、送風手段（いずれも不図示）、またはヒータ及び送風手段を組み合わせたものなどからなり、箱型のハウジング内に収容されて構成される。タオル乾燥装置６はタイマ機能を備えており、後記するスイッチ操作によってタオル乾燥装置６を駆動させる時間をタイマ時間として設定することができる。前板３の前面上端には操作表示部３１が設けられており、液晶画面などで構成され、タイマ時間を表示する表示部３１ａとスイッチのオンオフ或いはタイマ時間を設定操作する操作部３１ｂとを備えている。
【００１９】
タオル乾燥装置６のハウジングの大きさはタオル掛けバー５に掛けられたタオル類Ｔに万遍なく温風が行渡るように設けられ、図例のものはタオル掛けバー５の突出高さよりもタオル乾燥装置６のハウジングの突出高さが若干高いものとしている。
前板３には、収納空間４内外に通じる吸気孔３ａ及び排気孔３ｂを更に備えている。図例のものは、収容空間４の外部から内部に通じる吸気孔３ａと、該収容空間４の内部から外部に通じる排気孔３ｂとが、前板３の側部表面から内面側へと通じて形成された例を示しており、縦長方形の吸気孔３ａ及び排気孔３ｂが夫々３箇所ずつ設けられている。
尚、吸気孔３ａ及び排気孔３ｂは図例のように前板３に形成されたものに限定されず、例えば収納空間４を形成する側板１２ｃ（図２（ｂ）参照）や仕切板７に設けたものとしてもよく、タオル掛けバー５に掛けられたタオル類Ｔが湿気たままになることなく干しておける環境とできればよい。
【００２０】
タオル乾燥装置６の構成は、上述の例に限定されるものではなく、配線が不要な電池式のものとしてもよく、また設置位置は前板３の内面３ｄ側に配設した例に限定されるものではない。すなわち温風などを発生させてタオル掛けバー５に掛けられたタオル類Ｔを乾燥を促進させることができるものであればよい。またこれに除菌、消臭機能を持たせたものとすることもできる。更に操作表示部３１の構成も上述のものに限定されず、別途他の場所に操作表示部を設けてタオル乾燥装置６の操作を行うものとしてもよい。
【００２１】
以上によれば、収容空間４内にタオル掛けバー５が設けられているので、シンク２前の狭小スペースを布巾や台布巾などを掛けておくタオル掛けスペースとして有効利用することができる。よって生活感のないすっきりとしたフロアユニット１を構成することができる。
またタオル掛けバー５及びタオル乾燥装置６が前板３の内面３ｄ側に固着されているので、これらを備えた前板３のみを後付けでオプションとして取付けることができる。よってユーザのニーズに応じたフロアユニット１を構成することができる。更に前板３を開いた状態にするとタオル掛けバー５に掛けられたタオル類Ｔの上端が手前側にくるのでタオル類Ｔを干しやすく、また取り出しやすいものとすることができる。
【００２２】
次にタオル掛けバー５を備えたフロアユニット１の操作使用手順について図１乃至図３を参照しながら、説明する。
まず収容空間４の開口部４ａが閉塞状態となっている前板３の把持部３ｃを持ち、前方向（図１白抜矢示方向）に前板３を引く。すると枢支部７３を軸として前板３が回動し、前板３の後端部３ｅが脚部７２に当接する（図３参照）。これにより、前板３が９０度前方向に全開とならずに斜めに傾斜した開状態で固定保持され、前板３の内面側３ｄに固着されているタオル掛けバー５にタオル類Ｔを掛けやすい状態にできる（図１参照）。
このようにして、収容空間４の開口部４ａを開状態としたら、タオル掛けバー５にタオル類Ｔを掛ける。
【００２３】
その後、再び前板３をシンク２方向に戻して閉塞状態とし、操作表示部３１の操作部３１ｂを操作して設定されたタイマ時間の間、タオル乾燥装置６を駆動させる。
タオル乾燥装置６を駆動させると、内蔵されているヒータ及び送風手段によって温風が送出され、タオル掛けバー５に掛けられたタオル類Ｔを乾燥することができる。
このとき、前板３と隣接する収納部１２ａの化粧前板１２ａａとの間は５ｍｍ程度の間隔があるため、空気がまず前板３の片端部（紙面右端部）に形成された吸気孔３ａを通じて収容空間４外から収容空間４内に流入する（図２（ａ）及び（ｂ）の矢印参照）。そして収容空間４内の空気は前板３の片端部（紙面左端部）に形成された排気孔３ｂを通じて収容空間４外に排出される（図２（ａ）及び（ｂ）の矢印参照）。
【００２４】
よって、タオル乾燥装置６が駆動している間においても、空気が収容空間４内を流通するので、収容空間４内に湿った空気が充満することなく、効果的にタオル掛けバー５に掛けられたタオル類Ｔを乾燥させることができる。
操作表示部３１で設定されたタイマ時間の間、タオル乾燥装置６を駆動させた後、タオル類Ｔの乾燥が終わったことを表示部３１ａでの表示或いは、ブザー（不図示）を鳴動させてユーザに知らせる。
【００２５】
以上によれば、タオル掛けバー５に濡れたタオル類Ｔを干しておくことができ、掛けたタオル類Ｔを収容空間４に収容させている間に乾燥させることができる。よって収容空間４のタオル掛けバー５に掛けておいたタオル類Ｔを、次に使うときには乾いた状態のものを使用することができ、衛生的で高機能なフロアユニット１を構成することができる。
尚、操作使用手順は上述の例に限定されるものではなく、タオル乾燥装置６の駆動は、前板３の開閉に連動したものとすることもできる。
【００２６】
次に図４に基づいて、本発明の第２の実施形態について説明する。
第２の実施形態として示すフロアユニット１は、上述の第１の実施形態とは、タオル掛けバー５が仕切板７の収容空間４側に固着されている点が異なる。
その他の構成は同じであるので、共通する部分には共通の符号を付し、その説明も割愛する。
【００２７】
このときタオル乾燥装置６はタオル掛けバー５に掛けられたタオル類Ｔを万遍なく乾燥できるように設けられ、図例のものは前板３の内面３ｄ側に固着されたものを示している。
これによれば、タオル掛けバー５は、仕切板７の収容空間４側に固着されているので、前板３による収容空間４の開口部４ａの開け閉めが行われても、タオル掛けバー５に掛けられたタオル類５が移動することがなく、タオル類Ｔをタオル掛けバー５に安定して掛けておきやすいものとすることができる。
【００２８】
尚、本発明のフロアユニット１の構成は図例のものに限定されるものではなく、例えば仕切板７を備えていないものとしてもよい。タオル乾燥装置６の設置箇所も上述のように前板３の内面３ｄ側に固着された例に限定されず、仕切板７の収容空間４側やその他、隣接する位置にタオル乾燥装置６専用の設置箇所を設けたものとしてもよい。
【図面の簡単な説明】
【００２９】
【図１】本発明に係るフロアユニットの第１の実施形態を示す要部の概略斜視図である。
【図２】（ａ）は同フロアユニットの要部の正面図、（ｂ）は同フロアユニットの要部平面断面図である。
【図３】同フロアユニットの要部の縦断面図である。
【図４】本発明に係るフロアユニットの第２の実施形態を示す要部の縦断面図である。
【符号の説明】
【００３０】
１        フロアユニット
２        シンク
３        前板
３ａ      吸気孔
３ｂ      排気孔
３ｃ      把持部
４        収容空間
４ａ      開口部
５        タオル掛けバー
６        タオル乾燥装置
７        仕切板
【図１】
0005244374.tif 000002
【図２】
0005244374.tif 000003
【図３】
0005244374.tif 000004
【図４】
0005244374.tif 000005